【手続補正書】
【提出日】平成16年6月1日(2004.6.1)
【手続補正１】
【補正対象書類名】特許請求の範囲
【補正対象項目名】全文
【補正方法】変更
【補正の内容】
【特許請求の範囲】
【請求項１】
大型収納体(10)であって、
可撓性の材料から形成された貯蔵手段(50)と、
この収納体(10)をフォークリフトで運搬するためのプラスチック材料から形成されるパレットベース(12)であって、その上面(15)の周縁部に、互いに離間した複数のポール係合部(34)を有するパレットベース(12)と、
複数のポール(14)であって、前記パレットベース上面(15)における水平面と垂直になるように、その下端部が、前記パレットベース(12)のポール係合部(34)に取外し可能に係合されて、前記貯蔵手段(50)の支持ケージ(17)を形成する複数のポール(14)と、
中央部に孔を有し、プラスチック材料から形成されるポール固定部材(16)であって、前記貯蔵手段(50)が、複数のポール(14)の間から外にはみ出るのを防止するため、ポール(14)の上端部を固定し、かつ貯蔵手段(50)の荷重による水平方向の負荷に抗して、支持ケージ(17)の一体性を保持するよう、ポール(14)の上端部が取外し可能に係合しうる複数のポール取付部(40)を有するポール固定部材(16)とを備える大型収納体(10)において、
この収納体(10)を積み上げたときの水平方向のずれを防止するため、上方に位置する収納体(10)のパレットベース(12)の下面と、下方に位置する収納体のポール固定部材(16)の上面とは、互いに補形をなす取外し可能な係合部(32)(44)を有することを特徴とする大型収納体(10)。
【請求項２】
前記パレットベース(12)は、平面視において正方形または長方形であり、また前記ポール固定部材(16)は、前記パレットベース(12)と平面視同一の外形を有する請求項１記載の大型収納体(10)。
【請求項３】
前記パレットベースと前記ポール固定部材(16)におけるポール係合部(34)(40)は、ソケット(34)(40)であり、前記ポール(14)の両端部は、このポール(14)が、係合しているパレットベース(12)とポール固定部材(16)に対して傾くのを防止するため、これらソケット(34)(40)に摩擦係合するようになっている請求項１または２記載の大型収納体(10)。
【請求項４】
前記ポール固定部材(16)は、前記パレットベース(12)と対向する突出部材(42)を有し、前記ソケット(40)がポール(14)の上端部と摩擦係合する長さが、前記突出部材(42)の長さの分、長くなっている請求項３記載の大型収納体(10)。
【請求項５】
前記パレットベース(12)におけるソケット(34)のうち、パレットベースの上面で開放した口部(36)を含む部分は、前記ポール固定部材(16)をパレットベース(12)上に載置したときに、前記ポール固定部材(16)の突出部材(42)を収容しうる形状と大きさを有していることを特徴とする請求項４記載の大型収納体(10)。
【請求項６】
前記パレットベース(12)の上面における複数のソケット(34)の間には、前記ポール(14)を収容し、前記ポール固定部材(16)がパレットベース(12)の上に載置されたときに、このポール固定部材(16)とともに前記ポール(14)を包み込む長手凹部(46)が形成されていることを特徴とする請求項５記載の大型収納体(10)。
【請求項７】
前記パレットベース(12)とポール固定部材(16)は、それぞれ、４つの外縁部のそれぞれに、隅部を含めて５個、合計１６個のソケット(34)(40)を有し、かつこれらのソケット(34)(40)は、パレットベース(12)とポール固定部材(16)において互いに共通の位置に設けられていることを特徴とする請求項２〜６のいずれかに記載の大型収納体(10)。
【請求項８】
前記ソケット(34)(40)のそれぞれ４つの組において中央に位置するソケットは、パレットベースの外縁(18)とポール固定部材(16)の外縁部に整合して平行に並ぶ残りのソケット(34)(40)よりも、パレットベース(12)とポール固定部材(16)の各中央部に近い位置にあることを特徴とする請求項７記載の大型収納体(10)。
【請求項９】
前記ポール(14)は、金属から形成され、かつその上下端部は丸められており、また収納体の使用時にポールが嵌合される前記パレットベース(12)およびポール固定部材(16)のソケット(34)(40)の基部は、前記丸められたポールの上下端部と補形をなす丸型形状とされていることを特徴とする請求項３〜８のいずれかに記載の大型収納体(10)。
【請求項１０】
前記収納物を収納した複数の収容体(10)が垂直に積み上げられ、垂直方向に隣合う各収納体(10)間の横ずれを防止するための係合部(32)(44)が互いに係合し、各収納体におけるポール(14)が、前記パレットベース(12)とポール固定部材(16)を形成する剛性の材料によって互いに分離されつつ軸方向に整列し、収納物を収納した状態で積み重ねた収納体の荷重が、パレットベース(12)から軸方向に整列したポール(14)のみを通して、収納体が積み重ねられている底面に伝達されるようになっている請求項９記載の大型収納体(10)。
【請求項１１】
前記パレットベース(12)におけるソケット(34)の基底部は、パレットベース(12)を形成する材料よりもクリープ強度が大きいプラスチック材料から形成されているプラグ(38)によって区画され、かつこのプラグ(38)は、ソケット(34)内において、前記ポール(14)の下端部と、パレットベース(12)の荷重を支える下面との間に位置していることを特徴とする請求項１０記載の大型収納体(10)。
【請求項１２】
前記パレットベース(12)は、中央部に収納物の取出口(20)を有することを特徴とする請求項１〜１１のいずれかに記載の大型収納体(10)。
【請求項１３】
前記パレットベース(12)は、前記取出口をパレットベースの下方から閉鎖するための栓(48)を備え、この栓(48)は、取出口(20)の側壁に取外し可能に係合しうる部材を備えていることを特徴とする請求項１２記載の大型収納体(10)。
【請求項１４】
前記パレットベース(12)は、その下面に、フォークリフトの歯を入れるための平行な２対の凹部(22)(24)を有し、これら凹部の一方は、パレットベースの互いに対向する側からパレットベースを横断して延び、他方の凹部は、パレットベースの残りの対向する側からパレットベースを横断して延びることにより、パレットベースの下面に、荷重を支持する四隅の柱礎(26)と、これら隅部にある柱礎(26)の各対の間に、それぞれ１つの長手の柱礎(28)が形成されていることを特徴とする請求項２〜１３のいずれかに記載の大型収納体(10)。
【請求項１５】
前記収納体を積み上げたときの横ずれを防止するためにパレットベース(12)に設けられる係合部(32)は、前記長手の柱礎(28)の下面に形成される長手の凹部であることを特徴とする請求項１４記載の大型収納体(10)。
【請求項１６】
前記収納体を積み上げたときの横ずれを防止するためにポール固定部材(16)に設けられる係合部(44)は、ポール固定部材(16)の上面から上方に突出し、前記パレットベースの凹部(32)と補形をなす部材であり、この係合部(44)は、収納体(10)が積み上げられたときに、この上方に位置する収納体のパレットベース(12)の凹部(32)と取外し可能に係合しうるようになっている請求項１５記載の大型収納体(10)。
【請求項１７】
前記パレットベース(12)とポール固定部材(16)におけるずれを防止するための各係合部(32)(44)は、それぞれ４つの側方を有し、それぞれ対向する係合部(32)(44)に向かって、内側にテーパ付けされたほぼ矩形の形状を有することを特徴とする請求項１６記載の大型収納体(10)。
【請求項１８】
前記ポール固定部材(16)は、環状ビームであることを特徴とする請求項１〜１７のいずれかに記載の大型収納体(10)。
【請求項１９】
前記貯蔵手段は、プラスチックフィルム材料から形成された貯蔵袋(50)であることを特徴とする請求項１〜１８のいずれかに記載の大型収納体(10)。
【請求項２０】
前記プラスチックフィルム材料の厚さは、９０〜１２０ミクロンであることを特徴とする請求項１９記載の大型収納体(10)。
【請求項２１】
前記貯蔵袋(50)は、プラスチック材料の編状物からなることを特徴とする請求項１〜１８のいずれかに記載の大型収納体(10)。
【請求項２２】
前記プラスチック材料の編状物からなる貯蔵袋(50)は、液体、または高含水性の粒状物を収納するために、内側がプラスチックフィルムで内張りされていることを特徴とする請求項２１記載の大型収納体(10)。
【請求項２３】
前記貯蔵袋(50)は、網状物からなることを特徴とする請求項１〜１８のいずれかに記載の大型収納体(10)。
【請求項２４】
前記貯蔵袋(50)の側部に、前記支持ケージを構成する少なくとも複数のポール(14)が、収納体の使用時に、各別に挿入される平行な複数のスリーブ(58)が設けられていることを特徴とする請求項１９〜２３のいずれかに記載の大型収納体(10)。
【請求項２５】
前記貯蔵袋(50)の側部に、支持ケージを構成する少なくとも複数のポール(14)のうちの互いに隣接するポール(14)の対を、収納体の使用時に挿入しうる平行な複数のスリーブ(60)が設けられていることを特徴とする請求項１９〜２３のいずれかに記載の大型収納体(10)。
【請求項２６】
前記貯蔵袋(50)の壁部に、水平方向の切込みが垂直方向に互いに離間して平行に形成され、ポール(14)は、この垂直に並べられた切込みの列の一つの切込みに差し込まれ、次の切込みにおいて外側に出されるようにして通され、かつポール(14)の外側に出ている貯蔵袋の部分によって、貯蔵袋の側部が、ポール(14)に保持されるようになっている請求項１９〜２３のいずれかに記載の大型収納体(10)。
【請求項２７】
前記貯蔵袋(50)の上端部には、外側に突出する入口管(52)が設けられ、この入口管(52)は、貯蔵袋の他の部分よりも径が小であることを特徴とする請求項１９〜２６のいずれかに記載の大型収納体(10)。
【請求項２８】
前記貯蔵袋(50)の底部には、外側に突出した出口管(54)が設けられ、この出口管(54)は、貯蔵袋の他の部分よりも径が小であることを特徴とする請求項１９〜２７のいずれかに記載の大型収納体(10)。
【請求項２９】
前記貯蔵袋(50)は、プラスチック材料から形成され、収納物注入用の閉鎖可能な開口を有することを特徴とする請求項１〜１８のいずれかに記載の大型収納体(10)。
【請求項３０】
外部の電子装置からアクセス可能な情報を含むプログラミング可能な受動型マイクロチップが、収納体(10)の構成要素に埋め込まれていることを特徴とする請求項１〜２９のいずれかに記載の大型収納体(10)。
【請求項３１】
請求項１〜１８のいずれかに記載の大型収納体用パレットベース(12)。